(57)【特許請求の範囲】
【請求項１】
粉末噴射のためのエアフローを発生させる噴射器本体に着脱自在に装着されて、前記噴射器本体から提供されたエアフローで粉末を目的部位に噴射する粉末噴射用ディスペンサであって、
前記ディスペンサを前記噴射器本体に着脱自在に結合させるために設けられたディスペンサ結合部と、
前記粉末を目的部位にガイドするための導管を収容するために一端に設けられた導管装着部と、
前記粉末が入れられた容器を収容するためにディスペンサの上端に設けられた容器収容部と、
前記容器収容部内の粉末を下の空間に移送するために容器収容部の下端に設けられた粉末排出口と、
前記容器収容部に空気を移送するために粉末排出口と一定距離ほど離隔して形成された空気流入口と、
前記導管装着部に隣接して設けられた管であって、前記噴射器本体から提供されたエアフローを導管装着部側にガイドするためのガイド管と、
前記ガイド管の内部の空気を容器収容部側にガイドするために前記ガイド管から空気流入口側に延設された第１通路と、前記粉末排出口を通過した粉末を前記ガイド管の内部に収容するために前記ガイド管から前記粉末排出口側に延設された第２通路と、が設けられた空気移動及び混合管と、
前記空気移動及び混合管と前記容器収容部との間に設けられて、前後方向に移動して備えている２つのホールの位置を移動させて、前記第１通路と前記空気流入口の連通と、前記第２通路と前記粉末排出口の連通と、を同時に調節する開閉調節部と、
を含むことを特徴とする粉末噴射用ディスペンサ。
【請求項２】
前記開閉調節部は、
前記２つのホールが設けられており、前後方向に移動するスライダーと、
前記スライダーの移動をガイドするスライダーガイド溝と、
移動した前記スライダーを原位置させる弾性体と、
を含むことを特徴とする請求項１に記載の粉末噴射用ディスペンサ。
【請求項３】
前記粉末噴射用ディスペンサは、
前記空気移動及び混合管の内部に挿入されて、前記噴射器本体から提供されたエアフローを前記第１通路と前記導管装着部側にそれぞれガイドする２つのホールが備えられた空気分配器をさらに含むことを特徴とする請求項１に記載の粉末噴射用ディスペンサ。
【請求項４】
前記噴射器本体は、
前記噴射器本体に電源を供給する電源部と、
前記ディスペンサ結合部に結合される本体結合部と、
前記粉末の噴射を引き起こすスイッチ部と、
前記スイッチ部の作動によってエアフローを装置内に発生させる空気発生部と、
前記空気発生部から延設された管であって、発生したエアフローを前記空気移動及び混合管にガイドする空気供給管と、
を含むことを特徴とする請求項１に記載の粉末噴射用ディスペンサ。
【請求項５】
前記噴射器本体は、
前記噴射器本体に電源を供給する電源部と、
前記ディスペンサ結合部に結合される本体結合部と、
前記粉末の噴射を引き起こすスイッチ部と、
前記スイッチ部の作動によってエアフローを装置内に発生させる空気発生部と、
前記空気発生部から延設された管であって、発生したエアフローを空気移動及び混合管にガイドする空気供給管と、
前記開閉調節部を水平移送させる水平移送運動部と、
を含むことを特徴とする請求項１に記載の粉末噴射用ディスペンサ。
【請求項６】
前記スイッチ部は、
前記導管装着部側に空気を移動させるために前記空気発生部を作動させる主スイッチと、
前記主スイッチの作動によって発生したエアフローによる前記粉末の噴射が起こるように前記水平移送運動部を作動させて、前記第１通路と前記空気流入口、そして、前記第２通路と前記粉末排出口を同時に連通させる動作スイッチと、
を含むことを特徴とする請求項５に記載の粉末噴射用ディスペンサ。
【請求項７】
前記容器収容部内の前記粉末を振動させるための振動子が前記容器収容部と隣接して設けられたことを特徴とする請求項１に記載の粉末噴射用ディスペンサ。
【請求項８】
前記容器収容部内の前記粉末を振動させるための振動子が前記噴射器本体に設けられたことを特徴とする請求項１に記載の粉末噴射用ディスペンサ。
【請求項９】
請求項１ないし請求項８のうち何れか一項に記載の粉末噴射用ディスペンサを含む粉末噴射器。
【発明の詳細な説明】
【技術分野】
【０００１】
本発明は、２方向エアフロー（２−ｗａｙ  ａｉｒ  ｆｌｏｗ）方式の粉末噴射用ディスペンサ、及びそれを含む粉末噴射器に関する。
【背景技術】
【０００２】
手術の間の出血管理は、非常に重要である。血液損失は、患者に多くの問題を起こし、一方、望ましくない位置での血液の存在は、正常組織に有害であるか、手術部位を見る医師の能力を阻害する恐れがあるためである。このような出血は、最小侵襲手術（例えば、腹腔鏡手術）の間にも問題になりうる。
【０００３】
胃腸管出血（ｇａｓｔｒｏｉｎｔｅｓｔｉｎａｌ  ｂｌｅｅｄｉｎｇ）は、臨床でよく接する臨床疾患であって、胃腸管出血の８０％以上は、上部胃腸管で発生するが、上部胃腸管出血とは、食道、胃及び十二指腸の病変から出血されて血を吐くか、血便が発生する疾患である。上部胃腸管出血は、内視鏡検査を通じて９０％以上出血病巣を確認し、４０〜５０％が胃潰瘍または十二指腸潰瘍の出血が原因であると知られている。
最近、胃や大腸のポリープ切除術や、胃癌及び大腸癌の早期治療のための粘膜切除術と治療内視鏡施術とが多く行われているので、このような施術途中または施術後に出血になって、応急手術を行われなければならないか、さらには死亡に至る場合も発生している。
【０００４】
最近、このような手術途中の出血と胃腸管出血、そして、組織検査のための体内組織の採取時に発生する出血などを治療するために、内視鏡を利用した止血が次第に利用されている。このような内視鏡を利用した止血法は、止血が必要な粘膜損傷部位に、体内挿入された内視鏡導管（カテーテル）を接近させた後、導管を通じて粉末状の止血剤を投与及び噴射させることによって、止血させる方法である。
このような目的達成のための医療用粉末噴射器が開発された。このような医療用粉末噴射器の１つは、塗装用スプレーと同様の原理で、止血剤を噴射器に設けられたチューブに投入した後、圧縮空気をチューブに供給して止血剤を患部に噴射及び塗布する方式で作動する。しかし、このような粉末噴射器は、チューブ内に装填する薬剤量が過度に少なければ、有効な治療効果が得られない一方、薬剤量が過度に多ければ、チューブが詰まって噴射されない問題が発生する。
【０００５】
このような粉末噴射器を改善した散粉器が、特許文献１に開示されている。この散粉器は、薬剤容器を装置の上端に逆に装着した後、薬剤容器内に空気を供給すれば、薬剤容器に誘導された空気が、薬剤容器内の薬剤を撹乱させて薬剤と共に排出口に送り出される方式で作動する。
前記散粉器は、従来の塗装用スプレー方式を採択している噴射器に比べて、導管の詰まり現象が減り、噴射力が向上したが、薬剤容器に移動した空気が粉末薬剤の薬剤容器外への排出と、導管を通じる噴射を共に引き起こす１方向エアフロー（１−ｗａｙ  ａｉｒ  ｆｌｏｗ）方式であるという点で、満足するほどの噴射力の向上を得にくかった。
また、粉末噴射器の使用時には、体内は体液などの水分が存在するために、体内に挿入された医療用導管に水分が逆流し、この水分によって吸湿性が大きな粉末が互いに絡み合って導管が詰まる恐れがあり、一旦、導管に入った水分は、表面張力によって除去が難しい問題があるが、前記散粉器を含めた従来の粉末噴射器は、そのための技術手段を備えていなかった。
【０００６】
本明細書の全般に亘って多数の論文及び特許文献が参照され、その引用が表示されている。引用された論文及び特許文献の開示内容は、その全体として本明細書に参照して挿入されて、本発明が属する技術分野のレベル及び本発明の内容がより明確に説明される。
【先行技術文献】
【特許文献】
【０００７】
【特許文献１】韓国登録特許第１０−０３２９３３３号公報
【発明の概要】
【発明が解決しようとする課題】
【０００８】
このような背景の下で、本発明者らは、医療用導管を通じて粉末状の薬剤を体内に噴射及び塗布する場合に発生する、粉末の凝りによる導管の詰まり現象と導管に水分が逆流する現象とが改善された２方向エアフロー方式の粉末噴射用ディスペンサ、及びそれを含む粉末噴射器を開発した。
したがって、本発明の目的は、粉末噴射用ディスペンサを提供することである。
本発明の他の目的は、前記粉末噴射用ディスペンサを含む粉末噴射器を提供することである。
本発明の他の目的及び利点は、下記の発明の詳細な説明、特許請求の範囲及び図面によってより明確になる。
【課題を解決するための手段】
【０００９】
本発明の一態様によれば、本発明は、粉末噴射のためのエアフローを発生させる噴射器本体に着脱自在に装着されて、前記噴射器本体から提供されたエアフローで粉末を目的部位に噴射する粉末噴射用ディスペンサであって、前記ディスペンサを前記噴射器本体に着脱自在に結合させるために設けられたディスペンサ結合部と、前記粉末を目的部位にガイドするための導管を収容するために一端に設けられた導管装着部と、前記粉末が入れられた容器を収容するためにディスペンサの上端に設けられた容器収容部と、前記容器収容部内の粉末を下の空間に移送するために容器収容部の下端に設けられた粉末排出口と、前記容器収容部に空気を移送するために粉末排出口と一定距離ほど離隔して形成された空気流入口と、前記導管装着部に隣接して設けられた管であって、前記噴射器本体から提供されたエアフローを導管装着部側にガイドするためのガイド管と、前記ガイド管の内部の空気を容器収容部側にガイドするためにガイド管から空気流入口側に延設された第１通路と、前記粉末排出口を通過した粉末をガイド管の内部に収容するためにガイド管から粉末排出口側に延設された第２通路と、が設けられた空気移動及び混合管と、を含むことを特徴とする粉末噴射用ディスペンサを提供する。
【００１０】
本発明の一具現例によれば、前記粉末は、薬剤であり得る。
【００１１】
本発明の一具現例によれば、前記粉末噴射用ディスペンサは、体内に挿入される医療用導管が装着される医療用粉末噴射用ディスペンサであり得る。
【００１２】
本発明の一具現例によれば、前記粉末噴射用ディスペンサは、前記空気移動及び混合管と容器収容部との間に設けられて、前後方向に移動して備えている２つのホール（ｈｏｌｅ）の位置を移動させて、第１通路と空気流入口の連通と、第２通路と粉末排出口の連通と、を同時に調節する開閉調節部をさらに含みうる。
【００１３】
１つの特定の例で、前記開閉調節部は、前記２つのホールが設けられており、前後方向に移動するスライダーと、前記スライダーの移動をガイドするスライダーガイド溝と、移動したスライダーを原位置させる弾性体と、を含みうる。
【００１４】
本発明の他の一具現例によれば、前記粉末噴射用ディスペンサは、前記空気移動及び混合管の内部に挿入されて、噴射器本体から提供されたエアフローを第１通路と導管装着部側にそれぞれガイドする２つのホールが備えられた空気分配器をさらに含みうる。
【００１５】
本発明の一具現例によれば、前記噴射器本体は、前記噴射器本体に電源を供給する電源部と、前記ディスペンサ結合部に結合される本体結合部と、前記粉末の噴射を引き起こすスイッチ部と、前記スイッチ部の作動によってエアフローを装置内に発生させる空気発生部と、前記空気発生部から延設された管であって、発生したエアフローを空気移動及び混合管にガイドする空気供給管と、を含みうる。
【００１６】
１つの特定の例で、前記噴射器本体は、前記開閉調節部を水平移送させる水平移送運動部をさらに含みうる。
【００１７】
本発明の一具現例によれば、前記スイッチ部は、前記導管装着部側に引き続き空気を移動させるために空気発生部を作動させる主スイッチと、前記主スイッチの作動によって発生したエアフローによる粉末の噴射が起こるように水平移送運動部を作動させて、第１通路と空気流入口、そして、第２通路と粉末排出口を同時に連通させる動作スイッチと、を含みうる。
【００１８】
本発明の一具現例によれば、前記ディスペンサには、容器収容部内の粉末を振動させるための振動子が容器収容部と隣接して設けられることもある。
【００１９】
本発明の一具現例によれば、前記噴射器本体には、容器収容部内の粉末を振動させるための振動子が設けられうる。
【００２０】
本発明の一具現例によれば、前記空気発生部は、空気加熱のための加熱装置を含みうる。
【００２１】
本発明の一具現例によれば、前記噴射器本体は、前記振動子の作動のための振動子作動部を含みうる。
【００２２】
本発明の他の態様によれば、本発明は、前述した粉末噴射用ディスペンサを含む粉末噴射器を提供する。
前記粉末噴射器は、噴射器本体を含み、これについての説明は前述した。
【発明の効果】
【００２３】
本発明の特徴及び利点を要約すれば、次の通りである：
（１）本発明は、２方向エアフロー方式の粉末噴射用ディスペンサ、及びそれを含む粉末噴射器を提供する。
（２）本発明は、粉末の噴射を引き起こすエアフローと、容器から噴射ノズルへの粉末移送を引き起こすエアフローと、が別途になされるようにする２方向エアフロー方式を採択することによって、粉末の円滑な噴射が可能である。
（３）本発明は、粉末の噴射がなされない状態でも、導管内への水分の流入を防止するために導管方向に空気を移動し続け、粉末の噴射が必要な場合には、その空気の一部を粉末が入れられた容器側に回して粉末を導管側に移動させることによって、前記移動し続けるエアフローによって粉末の噴射を誘導する、２方向エアフロー方式を採択することができる。
（４）本発明は、振動子をさらに備えて、粉末の流動性を増加させることによって、詰まり現象なしに粉末を目的部位に噴射することができる。
（５）本発明は、加熱装置をさらに備えて、湿気のない空気を使って粉末を噴射させることによって、水分による粉末の凝りを防止することができる。
（６）本発明は、止血剤のような薬剤を体内への挿入に有用に活用可能である。
【図面の簡単な説明】
【００２４】
【図１】本発明の一実施形態による粉末噴射用ディスペンサの主要構成を示す分解斜視図である。
【図２】図１のディスペンサを垂直方向に切断した断面図である。
【図３】ディスペンサの上部を底面から見た図面である。
【図４】ディスペンサの下部を上から見た図面である。
【図５】本発明の一実施形態によるディスペンサ結合部の主要構成を示すための正面図（ａ）及び分解斜視図（ｂ）である。
【図６】本発明の他の実施形態によるディスペンサ結合部を示すための斜視図である。
【図７】本発明の他の実施形態による粉末噴射用ディスペンサに備えられた開閉調節部の主要構成を示す図面である。
【図８Ａ】開閉調節部の動作による空気と粉末との移動を説明する断面図である。
【図８Ｂ】開閉調節部の動作による空気と粉末との移動を説明する断面図である。
【図９】本発明のさらに他の実施形態による粉末噴射用ディスペンサに備えられた空気分配器を示す図面である。
【図１０】本発明によるディスペンサと結合する噴射器本体の主要構成を示す概略図である。
【図１１】噴射器本体とディスペンサとの間の結合を説明する分解斜視図である。
【図１２】噴射器結合部（本体結合部）の主要構成を示す斜視図である。
【発明を実施するための形態】
【００２５】
以下、添付図面を参照して、本発明の例示的な実施形態を詳細に説明するが、本発明が、実施形態によって制限または限定されるものではない。参考までに、本説明で同じ番号は、実質的に同じ要素を指称し、このような規則の下で、他の図面に記載の内容を引用して説明し、当業者に自明であると判断または反復される内容は省略されうる。
【００２６】
本発明の概念による実施形態は、多様な変更を加え、さまざまな形態を有しうるので、特定の実施形態を図面に例示し、本明細書または出願に詳細に説明する。しかし、これは、本発明の概念による実施形態を特定の開示形態に対して限定しようとするものではなく、本発明の思想及び技術範囲に含まれるあらゆる変更、均等物ないし代替物を含むものと理解しなければならない。
【００２７】
以下、図面を参照して、本発明の一実施形態による粉末噴射用ディスペンサ、及びそれを含む粉末噴射器について詳細に説明する。
【００２８】
図１は、本発明の一実施形態による粉末噴射用ディスペンサの主要構成を示す分解斜視図であり、図２は、図１のディスペンサを垂直方向に切断した断面図であり、図３は、ディスペンサの上部を底面から見た図面であり、図４は、ディスペンサの下部を上から見た図面であり、図５は、ディスペンサ結合部の主要構成を示す図面である。
【００２９】
図１を参照すれば、本発明の一実施形態による粉末噴射用ディスペンサ１００は、大きくディスペンサ上部１１０、ディスペンサ下部１２０及びディスペンサ結合部１３０に区分される。
【００３０】
図２と図３とを参照して、ディスペンサ上部１１０について説明する。
示したように、ディスペンサ上部１１０には、容器収容部１１１と、空気流入口１１２と、粉末排出口１１３と、が設けられる。
【００３１】
前記容器収容部１１１は、ディスペンサ１００の上端に設けられ、粉末が入れられた容器が装着される容器装着部位１１１ａと、容器から流出された粉末を集めて混合可能に容器装着部位１１１ａの下端に設けられたチャンバ１１１ｂと、を含む。容器装着部位１１１ａに容器が装着されれば、重力によって容器内の粉末がチャンバ１１１ｂに流れ出す。
一例として、前記容器装着部位１１１ａは、噴射する粉末が入れられた容器（例えば、バイアル）をネジ組込みの形態で装着可能にネジ山の形態として具現され、チャンバ１１１ｂは、粉末の円滑な移動のために円錐形として具現可能である。
【００３２】
前記空気流入口１１２は、第１通路１２２ｂを通過した空気を容器収容部１１１に移送するために粉末排出口１１３と一定距離ほど離隔した位置に容器収容部１１１側に設けられた空気移動通路である。
一具現例で、前記空気流入口１１２は、直接第１通路１２２ｂと連通される。
他の具現例で、前記空気流入口１１２は、後述する開閉調節部１４０の作動によって第１通路１２２ｂと連通される。
さらに他の具現例で、開閉調節部１４０なしに、後述する空気分配器１２４に設けられたホールと第１通路１２２ｂを通じて前記空気流入口１１２に空気が流入される。
【００３３】
前記粉末排出口１１３は、容器収容部１１１のチャンバ１１１ｂに流れ出した粉末を第２通路１２２ｃ側に移送するためにチャンバ１１１ｂの下端部に設けられた粉末及び空気移動通路である。
一具現例で、前記粉末排出口１１３は、直接第２通路１２２ｃと連通される。
他の具現例で、前記粉末排出口１１３は、後述する開閉調節部１４０の作動によって第２通路１２２ｃと連通される。
さらに他の具現例で、開閉調節部１４０なしに、後述する空気分配器１２４に設けられたホールを通じて分配された空気流入で粉末排出口１１３を通過した粉末は、ガイド管１２２ａに移送される。
【００３４】
追加的に、前記ディスペンサ上部１１０は、粉末の噴射を円滑にするための振動子をさらに含みうる。前記振動子は、容器収容部１１１内の粉末が互いに絡み合うか、あるいは粉末が容器収容部１１１の壁面に絡み合って、粉末排出口１１３を塞いで排出がなされない現象を防止するために装着されうる。また、前記振動子は、後述する混合室内にある粉末の凝りも防止することができる。一例として、コイン型（ｃｏｉｎ  ｔｙｐｅ）と棒型（ｂａｒ  ｔｙｐｅ）などの各種の小型偏心モータ振動子またはマグネチック振動子を振動子として使うことができる。
そのために、ディスペンサ上部１１０には、振動子が収容される振動子フレーム１１４が容器収容部１１１に隣接した位置に設けられ、装着された振動子が下に抜けることを防止するための固定用板材１１７を設置することができる空間である固定用板材フレーム１１５が振動子フレーム１１４の下端に設けられうる。
前記固定用板材１１７は、半円形溝を備えて、後述した開閉調節部１４０の弾性体を収容することもできる。
一方、前記ディスペンサ上部１１０には、ディスペンサ結合部１３０をディスペンサ上部１１０とディスペンサ下部１２０との結合体に固定させるための支持用ピン（Ｐ）が挿入される支持用ピンホール１１６が設けられうる。
【００３５】
以下、図２と図４とを参照して、ディスペンサ１００のディスペンサ下部１２０について説明する。
【００３６】
示したように、ディスペンサ下部１２０には、導管装着部１２１と、空気移動及び混合管１２２と、が設けられる。
前記導管装着部１２１は、ディスペンサ１００の一端に設けられて粉末を目的部位にガイドするための導管を収容する。
前記空気移動及び混合管１２２は、導管装着部１２１に隣接して形成された管であって、噴射器本体２００から提供されたエアフローを導管装着部１２１側にガイドするためのガイド管１２２ａと、ガイド管１２２ａの内部の空気を容器収容部１１１側に移送させるためにガイド管１２２ａから空気流入口１１２側に延設された第１通路１２２ｂと、粉末排出口１１３を通過した粉末をガイド管１２２ａの内部に収容するために第１通路１２２ｂと一定距離ほど離隔した位置にガイド管１２２ａから粉末排出口１１３側に延設された第２通路１２２ｃと、を備える。
【００３７】
このような構造的特徴によって、噴射器本体２００から空気移動及び混合管１２２に供給される空気が、ガイド管１２２ａを通って導管装着部１２１に装着された導管にまで移動して、導管方向にエアフローが発生し、その空気の一部が、第１通路１２２ｂを通って容器収容部１１２、１１１側に移動する。このように移動した空気によって容器収容部１１１内の粉末は、粉末排出口１１３を通じてガイド管１２２ａ（後述する混合室）に移動する。このように、本発明のディスペンサ１００は、２方向エアフロー方式を採択する。
前記第２通路１２２ｃの下端に位置するガイド管１２２ａの内部の空間は、噴射器本体２００から提供された空気と、粉末排出口１１３と第２通路１２２ｃを通ってガイド管１２２ａの内部に収容された粉末が混じられる混合室である。前記混合室で流動化（ｆｌｕｉｄｉｚａｔｉｏｎ）状態になった粉末は、ディスペンサ１００の内部のエアフローに押されて、導管装着部１２１に装着された導管を通じて目的する部位（例えば、体内出血部位）に噴射される。
【００３８】
前記ガイド管１２２ａの末端は、図２に示したように、噴射器本体２００とシリコンチューブのような弾性力を有する連結チューブ１２３を通じて連結されうる。この際、連結チューブ１２３は、ディスペンサ上部１１０に設けられた振動子によって発生する振動を噴射器本体２００への伝達を緩衝する役割を果たす。
前記ディスペンサ下部１２０の上端には、後述する開閉調節部１４０の弾性体が装着される空間１２５が設けられうる。
【００３９】
以下、図２と図５とを参照して、ディスペンサ結合部１３０について説明する。
前記ディスペンサ結合部１３０は、ディスペンサ１００を噴射器本体２００に着脱自在に結合させるための着脱手段である。このような着脱手段は、公知の結合手段として制限なしに具現されうる。
【００４０】
一具現例で、ディスペンサ結合部１３０は、図５に示したように、噴射器本体２００と磁力で着脱自在に結合するための磁石１３１と、前記磁石１３１が固定される磁石固定溝１３２と、噴射器本体２００との結合時に、半径方向の動きを固定することができる締結溝１３３と、で具現される。
【００４１】
追加的に、ディスペンサ結合部１３０には、ディスペンサ上部１１０に設けられた支持用ピンホール１１６に挿入された支持用ピン（Ｐ）を収容する支持用ピン固定溝１３４と、振動子に電源を供給するための電極ピン（Ｅ）を収容するための電極ピンホール１３５と、噴射器本体２００に設けられた水平移送運動部２６０の移送軸２６０ａが通過する移送軸貫通ホール１３６と、ガイド管１２２ａと噴射器本体２００に設けられた空気供給管２５０とを連結する連結チューブ１２３が貫通する連結チューブ貫通ホール１３７と、が形成されている。
【００４２】
他の具現例で、前記ディスペンサ結合部１３０は、図２及び図５に示したように、ディスペンサ上部１１０とディスペンサ下部１２０とが結合して形成した結合体の一面に結合された形態以外に、図６に示したように、噴射器本体２００に設けられた溝２２０に挿入されて着脱自在に具現されることもある。
【００４３】
図７は、本発明の他の実施形態による粉末噴射用ディスペンサに設けられた開閉調節部の主要構成を示す図面であり、図８は、開閉調節部の動作による空気と粉末との移動を説明する図面である。
以下、図７及び図８を参照して、開閉調節部１４０を説明する。
【００４４】
図７に示したように、開閉調節部１４０は、一定の長さを有する直線型部材であって、ディスペンサ上部１１０の空気流入口１１２と貫通される中空型のスライダー空気流入口１４１ａと、スライダー空気流入口１４１ａと一定距離ほど離隔して形成されて、ディスペンサ上部１１０に設けられた粉末排出口１１３を貫通する中空型のスライダー粉末排出口１４１ｂが設けられたスライダー１４１と、前記スライダーの前後方向への移動をガイドするスライダーガイド溝１４２と、移動したスライダー１４１を原位置させる弾性体１４３と、を含む。
前記スライダー１４１の末端は、圧縮バネのような弾性体１４３に収容されており、弾性体１４３は、半円形溝を有する固定用板材１１７に挿入されたままディスペンサ上部１１０に設けられた固定用板材フレーム１１５に設けられる。また、弾性体１４３の一部は、ディスペンサ下部１２０に設けられた空間１２５に位置する。
前記スライダー１４１は、ディスペンサ上部１１０とディスペンサ下部１２０との間に位置するスライダーガイド溝１４２に挿入されて、噴射器本体２００に設けられた水平移送運動部２６０と弾性体１４３によって前後方向に移動する。
【００４５】
本発明によるディスペンサ１００の特徴の１つは、従来の粉末噴射装置とは異なって、粉末の噴射がなされない状態でも、導管内への水分（例えば、患部の体液）の流入を防止するために導管方向に空気を移動し続け、粉末の噴射が必要な場合には、その空気の一部を容器収容部１１１側に回して粉末を導管側に移動させることによって、前記移動し続けるエアフローによって粉末の噴射を誘導する、２方向エアフロー方式を採択するという点である。
このような２方向エアフローは、開閉調節部１４０によって調節されるが、以下、図８を参照して、開閉調節部１４０の動作による粉末と空気との移動を説明する。
【００４６】
図８Ａは、スライダー１４１上に形成されたスライダー空気流入口１４１ａとディスペンサ上部１１０に設けられた空気流入口１１２、そして、スライダー粉末排出口１４１ｂとディスペンサ上部１１０に設けられた粉末排出口１１３とが互いにずれている状態を示す。この状態では、空気流入口１１２を通じる容器収容部１１１への空気移動及び容器収容部でガイド管１２２ａ内の混合室への粉末の移動が遮断される。
【００４７】
図８Ｂは、噴射器本体２００の作動によって、水平移送運動部２６０によって弾性体が圧縮されるようにスライダー１４１が移動して、スライダー空気流入口１４１ａと空気流入口１１２、そして、スライダー粉末排出口１４１ｂと粉末排出口１１３とが互いに連通された状態を示す。この状態では、噴射器本体２００から提供された空気が空気流入口１１２を通って容器収容部１１１内のチャンバ１１１ｂに移動し、その空気によって、チャンバ１１１ｂ内の粉末は、粉末排出口１１３とスライダー粉末排出口１４１ｂ及び第２通路１２２ｃを経てガイド管１２２ａ内の混合室に移送され、このように混合室に移送された粉末は、ガイド管１２２ａから導管側に移動する空気に押し流されて導管を通じて噴射される。
【００４８】
図９は、本発明のさらに他の実施形態による粉末噴射用ディスペンサに設けられた空気分配器を示す図面である。
前記空気分配器１２４は、ディスペンサ下部１２０に設けられた空気移動及び混合管１２２の内部に挿入されたまま、噴射器本体２００から提供されたエアフローを第１通路１２２ｂと導管装着部１２１側にガイドする少なくとも２つのホールを備えた管である。前記空気分配器１２４を通じて混合室に移動する空気量、第１通路１２２ｂに抜け出る空気量及び／またはこれら空気量間の比率を調節することができる。
一例として、前記空気分配器１２４には、混合室と第１通路１２２ｂ側にそれぞれ開けられている２つのホールが設けられており、そのホールのサイズが異なる空気分配器１２４を使うことによって、混合室と第１通路１２２ｂに供給される空気量を所望のレベルで調節させうる。
【００４９】
前記空気分配器１２４は、ガイド管１２２ａの内部への挿入が容易になるようにガイド管１２２ａと同じ形状に具現され、混合室の裏側空間の第１通路１２２ｂの下端に位置するようにガイド管１２２ａの内部に挿入されうる。
必要に応じて、前記空気分配器１２４は、導管装着部１２１側にさらに延び、その延びた部分の上端には、第２通路１２２ｃと連通される追加的なホールが設けられうる。
【００５０】
図１０は、前述したディスペンサと結合する本発明の一実施形態による噴射器本体の主要構成を示す概略図であり、図１１は、噴射器本体とディスペンサとの間の結合を説明する分解斜視図であり、図１２は、噴射器結合部（本体結合部）の主要構成を示す斜視図である。
図１及び図１０を参照すれば、噴射器本体２００は、噴射器本体２００に電源を供給する電源部２１０と、ディスペンサ結合部１３０と結合する本体結合部２２０と、粉末の噴射を引き起こすスイッチ部２３０と、スイッチ部２３０の作動によってエアフローを装置内に発生させる空気発生部２４０と、空気発生部２４０から延設された管であって、発生したエアフローをディスペンサ１００の空気移動及び混合管１２２にガイドする空気供給管２５０と、を含む。追加的に、噴射器本体２００は、ディスペンサ１００に設けられた開閉調節部１４０を水平移送させる水平移送運動部２６０をさらに含みうる。
【００５１】
前記電源部２１０は、噴射器本体２００、さらにディスペンサ１００または噴射器本体２００に設けられた振動子に電源を供給するためのものであって、直流及び／または交流（外部電源）を供給するように具現され、一例として、充電可能なバッテリ２１０ａ及びバッテリ充電と外部電源のための端子２１０ｂとして具現可能である。
【００５２】
前記本体結合部２２０は、噴射器本体２００の一端に設けられて、ディスペンサ結合部１３０を噴射器本体２００に結合させる役割を果たす。本体結合部２２０は、図６に示したように、溝形式に具現されてディスペンサ１００に設けられたディスペンサ結合部１３０を、前記溝の内部に収容することができる。
図１１を参照して、本体結合部２２０とディスペンサ結合部１３０との間の結合を説明すれば、本体結合部２２０には、ディスペンサ結合部１３０に装着された磁石１３１と磁力で着脱自在に結合する磁石２２１とが磁石固定溝２２２に装着されており、磁力のみで締結する場合、発生する半径方向の動きを防止するために、ディスペンサ結合部１３０の締結溝１３３に挿入される複数個の突出部２２３が設けられており、本体結合部２２０は、磁力を通じる結合と、締結溝１３３と突出部２２３との間の結合と、を通じてディスペンサ結合部１３０と結合する。
【００５３】
また、図１２に示したように、本実施形態による本体結合部２２０には、ディスペンサ１００に設けられた振動子の作動を誘導する振動子作動部（例えば、バネスイッチ）が通過する振動子作動部貫通ホール２２４と、水平移送運動部２６０の移送軸２６０ａが通過する移送軸貫通ホール２２５と、ディスペンサ１００の空気移動及び混合管１２２と本体２００の空気供給管２５０とを連結する連結チューブ１２３を空気供給管２５０に連結させる主空気連結管２２６と、が形成されている。
【００５４】
再び図１０を参照すれば、前記スイッチ部２３０は、導管装着部１２１に装着される導管側に引き続き、空気を移動させるために空気発生部２４０を作動させる主スイッチ２３０ａと、前記主スイッチ２３０ａの作動によって発生したエアフローによる粉末の噴射が起こるように水平移送運動部２６０を作動させて、第１通路１２２ｂと空気流入口１１２、そして、第２通路１２２ｃと粉末排出口１１３を同時に連通させる動作スイッチ２３０ｂと、を含みうる。
【００５５】
前記スイッチ部２３０による作動を説明すれば、ユーザが主スイッチ２３０ａを押せば、導管装着部１２１に装着される導管に空気が継続的に移動して、導管の内部への水分の流入を防止することができる。粉末は、特性上、吸湿性が非常に高くて、水分が少しでも存在すれば、互いに固まって凝集するが、このような凝集が起これば、導管が詰まる。しかし、本発明によれば、主スイッチ２３０ａの作動時に導管方向に引き続き、空気が移動して、導管に水分が逆流することが根本的に遮断される。
この際、ユーザが動作スイッチ２３０ｂを押せば、水平移送運動部２６０が作動してスライダー１４１が移動することによって、導管を通じる粉末の噴射が起こる。この場合、振動子作動部２８０によって、ディスペンサ１００に設けられた振動子によってディスペンサ１００に振動が発生しうる。
【００５６】
前記空気発生部２４０は、ディスペンサ１００の容器収容部１１１にある粉末の排出、混合及び噴射と、導管への水分流入を遮断するためのエアフローを発生させることができる、ピストンまたはダイアフラム方式の空気ポンプ２４０ａとして具現可能である。
追加的に、前記空気発生部２４０は、ディスペンサ１００に供給される空気の水分を乾燥するための加熱装置２４０ｂをさらに含みうる。これにより、前述した湿気による粉末の凝集現像を防止することができる。このような加熱装置は、一例として、半導体または熱線として具現可能である。
【００５７】
前記水平移送運動部２６０は、移送軸２６０ａがあるソレノイドまたはカム２６０ｂとして具現され、動作スイッチ２３０ｂの作動時に、前記移送軸２６０ａが開閉調節部１４０のスライダー１４１を正面方向に押して（開閉調節部の弾性体は圧縮される）、粉末の噴射が起こる。
追加的に、前記噴射器本体２００は、空気ポンプ２４０ａの流量、振動子の動作時間、水平移送運動部２６０の動作速度、加熱装置２４０ｂの温度調節、電源部２１０の動作及び充電状態などを制御するための制御部（例えば、マイコン基盤のＰＣＢ制御器）２７０を含みうる。
【００５８】
前記噴射器本体２００は、容器収容部１１１内の粉末を振動させるための振動子を含みうる。
前記噴射器本体２００は、本体２００に設けられた振動子またはディスペンサ１００に設けられた振動子の作動のための電源供給のために振動子作動部２８０を含みうる。前記振動子作動部２８０は、動作スイッチ２３０ｂと連動して、ディスペンサ結合部１３０に挿入されている電極ピン（Ｅ）と接触することによって、振動子に電源を供給して振動子の作動を誘導することができる。
一例として、前記振動子作動部２８０は、振動子に電源供給のためのバネスイッチとして具現可能である。
【００５９】
また、前記噴射器本体２００は、装置の動作状態を表示するＬＥＤランプ２９０を含みうる。
【００６０】
以上、本発明の特定の部分を詳しく記述したところ、当業者にとって、このような具体的な技術は、単に望ましい具現例であり、これにより、本発明の範囲が制限されるものではないという点は明白である。したがって、本発明の実質的な範囲は、添付の請求項とその等価物とによって定義される。
【産業上の利用可能性】
【００６１】
本発明は、粉末噴射用ディスペンサ、及びそれを含む粉末噴射器関連の技術分野に適用可能である。
【符号の説明】
【００６２】
１００：ディスペンサ
１１０：ディスペンサ上部
１１１：容器収容部
１１２：空気流入口
１１３：粉末排出口
１１４：振動子フレーム
１１５：固定用板材フレーム
１１６：支持用ピンホール
１２０：ディスペンサ下部
１２１：導管装着部
１２２：空気移動及び混合管
１２３：連結チューブ
１２４：空気分配器
１３０：ディスペンサ結合部
１３１：磁石
１３２：磁石固定溝
１３３：締結溝
１３４：支持用ピン固定溝
１３５：電極ピン固定ホール
１３６：移送軸貫通ホール
１３７：連結チューブ貫通ホール
１４０：開閉調節部
１４１：スライダー
１４２：スライダーガイド溝
１４３：弾性体
２００：噴射器本体
２１０：電源部
２２０：本体結合部
２３０：スイッチ部
２４０：空気発生部
２５０：空気供給管
２６０：水平移送運動部
２７０：制御部
２８０：振動子作動部
２９０：ＬＥＤランプ
【図１】
0006395240.tif 000002
【図２】
0006395240.tif 000003
【図３】
0006395240.tif 000004
【図４】
0006395240.tif 000005
【図５】
0006395240.tif 000006
【図６】
0006395240.tif 000007
【図７】
0006395240.tif 000008
【図８Ａ】
0006395240.tif 000009
【図８Ｂ】
0006395240.tif 000010
【図９】
0006395240.tif 000011
【図１０】
0006395240.tif 000012
【図１１】
0006395240.tif 000013
【図１２】
0006395240.tif 000014